(57)【特許請求の範囲】
【請求項１】
光学的切り換え装置であって、
第１及び第２の光学素子組合せ体と位置定め装置とを有し、
前記第１及び第２の光学素子組合せ体の各々は
１次軸線に沿う所定の方向を向いた１次窓に終端する１次伝送装置と、
２次軸線に沿う所定の方向を向いた２次窓に終端する２次伝送装置と、
相応の軸線に沿う所定の方向を向いた相応の窓に終端する付加的伝送装置と、
１次軸線と一致する軸を有し且つ１次軸線上で１次窓に焦点を有する１次レンズと、
２次軸線と一致する軸を有し且つ２次軸線上で２次窓に焦点を有する２次レンズと、
付加的伝送装置の軸線と一致する軸線を有し且つ当該軸線上で付加的伝送装置の窓に焦点を有する付加的なレンズと、
各窓とは反対側に前記レンズから距離（Ｄ）を置いて配置された再帰反射器とを備えており、
ただし、２次軸線は１次軸線に対して平行であり、且つ１次軸線との間に間隔（Ｒ）を有しており、付加的伝送装置の軸線は１次軸線に対して平行であり、且つ１次軸線との間に間隔（Ｒ）を有しており、この間隔（Ｒ）は１次軸線から２次軸線までの間隔（Ｒ）に等しく、前記再帰反射器の光軸は１次軸線に対して平行であり、
１次伝送装置、２次伝送装置、付加的伝送装置は、それぞれ１次レンズ、２次レンズ、付加的なレンズとの間でビームの遣り取りをし、
第２の光学素子組合せ体は第１の光学素子組合せ体とは互いに逆向きに鏡像関係となるように配置されており、
第２の光学素子組合せ体の１次伝送装置、２次伝送装置、及び付加的伝送装置は、第１の光学素子組合せ体の１次伝送装置、２次伝送装置、及び付加的伝送装置のうちの相応する伝送装置と同軸線上にあり、
前記位置定め装置は、１次軸線を中心として前記第１及び第２の光学素子組合せ体の各々の再帰反射器を選択された複数の位置の各々まで選択的に回転させるものであり、第２の光学素子組合せ体の再帰反射器と第１の光学素子組み合わせ体の再帰反射器との間に設けられたステップモータと、該ステップモータの両側からそれぞれ反対方向に延びて中心軸線上の各再反射器に結合された駆動軸とを有しており、前記選択された複数の位置には、１次軸線と２次軸線とを含む１つの平面内で１次軸線と２次軸線との中間に光軸を有する伝送位置と、１次軸線と付加的な軸線とを含む１つの平面内で１次軸線と付加的な軸線との中間に光軸を有する伝送位置とが含まれ、ただし、１次軸線と２次軸線との中間に光軸を有する前記伝送位置は、前記再帰反射器によってビームが１次レンズと２次レンズを介して１次伝送装置と２次伝送装置との間で伝送されるようにするための伝送位置であり、１次軸線と付加的な軸線とを含む１つの平面内で１次軸線と付加的な軸線との中間に光軸を有する前記伝送位置は、前記再帰反射器によってビームが１次レンズと付加的レンズを介して１次伝送装置と付加的伝送装置との間で伝送されるようにするための伝送位置であり、１次軸線を中心とした前記再帰反射器の選択的回転により、１次伝送装置と２次伝送装置及び付加的伝送装置の中から選択された伝送装置との間でビームを伝送するための切り換えが行われる、ことを特徴とする光学的切り換え装置。
【請求項２】
前記１次レンズと前記２次レンズが公称値の相異なる焦点距離を有するようにする、請求項１記載の装置。
【請求項３】
各々の伝送装置が光ファイバを含む、請求項１記載の装置。
【請求項４】
各々の再帰反射器がコーナーキューブ反射器である、請求項１記載の装置。
【請求項５】
複数個のレンズが１次の軸線に垂直な１つの共通のレンズ平面を有し、再帰反射器は該レンズ平面から距離（Ｄ）をおいて光学的軸上に頂点を有し、複数個のレンズはそれぞれの焦点距離（Ｆ）を有し、前記軸線間の間隔（Ｒ）と前記レンズ平面から再反射器の頂点までの距離（Ｄ）との和が１次レンズの焦点距離（Ｆ）と２次レンズの焦点距離（Ｆ）の和に等しい請求項１記載の装置。
【発明の詳細な説明】
【０００１】
【産業上の利用分野】
本発明は広くは光伝送のための光学素子の切り換え装置に関し、詳細には測光機器用の光ファイバのための光学素子の切り換え装置に関する。
【０００２】
【従来の技術】
測光機器の使用と多様化の開発は、例えば情報の伝送用の他の光学機器のように、光伝送における切り換えのための要求を拡大させている。
【０００３】
切り換え装置は通常は、一方の接続形式から他方の接続形式へ切り換えるために変化される位置または配向を有する少なくとも１つの可動の光学素子を含む。分光測光機器において用いられる切り換え装置の重要な要求は、光学素子の相対位置または配向における変化を生ぜさせる小さい不可避の動きまたは揺動に対して、光処理量が影響を受けないことである。スイッチが１つの設定位置におかれている時の処理量のいかなる変化も、測定される測光値における不正確な変化を生ぜしめる所定の設定位置から他方へ切り換えて次に再びもとの位置へ切り換えた場合の処理量（スループット）におけるこの種の変化は、測定された測光値における再現性の欠如を生ぜしめる。
【０００４】
最近は光ファイバが、測光機器から離れている試料プローブに対してビームを伝送させるために用いられている。このプローブは、例えば米国特許第５０７７４８１号公報（Ｈｏｕｌｔ）に示されているように、液体中に含浸されていて、この液体中のいかなる進行中の変化も監視する。同一の測光機器で種々の試料を監視することが時には所望され、この場合、試料またはプローブの選択が必要とされる。各種の形式の光学的スイッチが知られている。例えば米国特許第５０５６８８６号公報（Ｈｏｕｌｔ）は、束として設けられた複数本のファイバの間を切り換えるための凹面鏡の使用を開示する。この場合、ミラーは切り換えを実施するために、光軸から間隔をおいて配置された旋回軸線を中心に旋回される。このスイッチは光の処理量を維持し再生産する目的で正確な配向を必要とする。
【０００５】
切り換えのための回転可能なペリスコープが米国特許第４６２６０６５号公報（Ｍｏｒｉ）および第５００５９３４号公報（Ｃｕｒｔｉｓｓ）に開示されている。ペリスコープにより出力ビームは通常は入力ビームと同方向に維持されるが、横方向にはずらされる。基本的にはこれらの光処理量はぺリスコープの配向の位置におけるわずかな変化に対してそれほど影響は受けないが、旋回の変化に対しては多少の影響を受ける。さらに切り換え用の中央モータはスペースを必要とし、これがペリスコープ装置へ光路の長さを増加させてしまう。米国特許第４９８９９３２号公報（ランダ他）は、１対の４５°ミラーを含む、旋回可能な鏡胴を有するマルチプレクサを開示している。このミラーは選択された光ファイバ１対への光路または光ファイバ１対からの光路を偏向させる。このマルチプレクサはペリスコープよりも、可動の光学素子の位置と方向との両方の変化の影響を受ける。
【０００６】
ポロ反射器はペリスコープと類似するが、異なる点は２つの反射器素子が出力光を入力源へ帰還させるように方向づけられていることである。ポロ反射器は、ポロ反射器の縁部と光ビームの両方に垂直な軸を中心とする旋回位置におけるわずかな変化の影響を特に受けやすい。
【０００７】
逆反射器たとえばコーナーキューブ反射器は、もとの方向へ光を帰還させるための光学装置において用いられる。例えば米国特許第４５６９５６９号公報（Ｓｔｅｗａｒｔ）は光ファイバ装置用のカプラを開示する。逆反射器に対して光を伝送するための唯一のレンズにより光は光ファイバの間を走行される。一実施例はビームスプリッタを含み、この場合、再帰反射器は、分割されたビームのための１対の出力ファイバを選択するために旋回できる（この特許の第７図と第８図）。
【０００８】
【発明の解決すべき課題】
本発明の課題は、例えば光ファイバ間で光を伝送させる新規な光切り換え装置を提供することである。別の目的は光の伝送をカップリング及びデカップリングするための装置を提供することである。さらに別の目的は、一方の光伝送装置と複数個の光伝送装置のうちの任意のものとの間の光伝送を切り換える装置を提供することである。さらに別の目的は、可動の光学素子のわずかな動きたとえば回転運動の影響をほとんど受けない切り換え装置を提供することである。さらに別の目的は、測光機器と、光ファイバの使用により選択された外部試料との間を、光学的に切り換える構成を提供することである。
【０００９】
【課題を解決するための手段】
前述の全部の課題は少なくとも一部は、ビームを伝送する光ファイバのような伝送装置と関連づけられた光切り換え装置により、実施される。この種の装置は、１次の軸線に沿う所定の方向に向く１次の窓に終端する１次伝送装置と、２次の軸線に沿う所定の方向に向く２次の窓に終端する２次伝送装置を含む。２次の軸線は１次の軸線に平行でかつこれから間隔を置いて設けられている。
【００１０】
１対のレンズは、１次レンズと２次レンズから成る伝送装置と光ビームのやりとりをする。１次のレンズは１次の軸線と一致する軸線と、１次の窓において１次の軸線上に位置定めされた焦点を有する。２次のレンズは２次の軸線と一致する軸線と、２次の窓において２次の軸線上に位置定めされた２次の焦点を有する。再帰反射器、有利にはコーナーキューブ反射器たとえばプリズムまたは反射器が、各々の窓とは反対側にレンズから間隔をおいて配置されている。再帰反射器はその、光軸が１次の軸線と平行に整列されている。
【００１１】
位置定め装置は選択的に再帰反射器を、複数個の選択された位置の各々へ、有利にはステップモータで位置定めする。このステップモータは、再帰反射器を１次の軸線を中心に、複数個の選択された位置の各々へ旋回する。伝送位置においては再帰反射器の光軸は、１次の軸線と２次の軸線との中間で、両方の軸線の作る平面に位置するように、整列される。その目的はビームを１次の伝送装置と２次の伝送位置との間で、レンズを介して再帰反射器により伝送可能にするためである。第２の位置においては、光軸は、ビームが中央の伝送装置と外側の伝送位置との間を実質的に走行できないようにするために、前記の面から遠ざかるように変位される。このようにして本発明の一つの実施例においてはオン・オフ切り換えが２つの伝送装置の間で実施される。
【００１２】
有利な実施例においては伝送装置は、伝送ビームのために少なくとも１つの付加的な２次の伝送装置を含む。各々の付加的な２次の装置は、１次の軸線に平行な所属な軸線に沿う所定の方向へ向く所属の窓において終端する。各々の軸線の、１次の軸線からの横方向の間隔は、１次の軸線に平行でこれから横方向の間隔で配置された２次の軸線と半径方向で等しい。１次の軸線に平行でこれから横方向の間隔で配置された２次の軸線と半径方向で等しい。所属の軸線と２次の軸線は、１次の軸線を中心として円弧上に位置するように設けられる。
【００１３】
付加的な伝送装置に付加的なレンズが関連づけられる。このレンズは、所属の軸線と一致する軸線および所属の窓においてこの所属の軸線上に位置づけられた焦点を有する。再帰反射器の複数個の選択される位置は、各々の付加的な伝送装置のために、付加的な伝送装置を有する。この伝送装置の光軸は、１次の軸線と所属の軸線との間で中間で、両方の軸線を含む平面に位置づけられる。そのためビームは１次の伝送装置と付加的な伝送装置との間を再帰反射器により、１次のレンズと付加的なレンズを介して伝送できる。１次の軸線を中心とする、再帰反射器の選択された旋回は、中央の伝送装置と選択された任意の２次の伝送装置との間でのビーム伝送のための切り換えを生ぜしめる。
【００１４】
選択された光学的素子は、切り換え中に軸線整列からビーム伝送が影響を受けないように有利に軸線整列を解除される。例えば１次のレンズは２次のレンズとは公称値の異なる焦点距離を有することができる。
【００１５】
次に本発明の実施例を図面を用いて説明する。
【００１６】
【実施例】
図１の光学装置１０に示されている様に第１の光ファイバ１２は光放射源（図示されていない）からの光を伝送する。この光は可視光線、赤外線、紫外線とすることができる。光ファイバは所定の方向１５━図面においては右向き━に向いている第１の端部窓において終端する。この終端個所において主光ファイバは１次の軸線１７と同一線上にある。２次の外側光ファイバ１６は、同じ所定の方向を向いている外部端部窓１８の中で終端する。その終端部において外側光ファイバは１次の軸線とは間隔Ｒでこれに平行な２次の軸線１９と同一線上にある。窓１４，１８は有利に、１次の軸線に垂直な共通の面２０の中に存在する。
【００１７】
１次のレンズ２４はその光軸が１次の軸線１７と一致し、その焦点２６が窓１４において１次の軸線上に位置する。窓からの発散光は１次のレンズにより屈折される。その目的は１次のレンズから、このレンズの、窓とは反対側へ走行する平行化された光ビーム２８を形成するためである。類似の有利にはほぼ同様の２次のレンズ３０は、その光軸が２次の軸線１９と一致しかつその焦点３２が窓１８において２次の軸線上に位置するように、配置されている。このレンズは平行化された光ビーム３４を端部窓１８へ集束する。この実施例において１次のレンズ２４と２次のレンズ３０は実質的に等しい焦点距離を有する。（術語“レンズ”は実施例および請求項において単レンズまたはこれと同じ機能を有する複数個のレンズ組み合わせ体を意味する。）
再帰反射器３６はレンズの間で光を反射する。この再帰反射器は図では１組のミラー３８，４０として示されているが、実際にはコーナーキューブプリズムまたは３つの直交する反射面を有するミラーから成る等価の構成体である。再帰反射器のための他の類似の機能構成体を、例えばより多くの反射面から成る適切な配置体を有する“キャッツアイ（cats eye）”を用いることもできる。
【００１８】
再帰反射器はレンズ２４，３０に対して、窓１４，１８とは反対側に配置されている。伝送位置において再帰反射器は、入射する平行化ビーム２８を介在ビーム４１を介して出射する平行化ビーム３４となるように反射する（介在ビームは実際はコーナーキューブ再帰反射器の３つの反射器の間の２ビームである。介在反射は図示されていない）。このことは再帰反射器を次のように位置定めすることにより実施される。即ち頂点４６を通る再帰反射器軸４４が１次の軸線に平行となり、かつこれらの軸線により定められる伝送面において１次の軸線１７と２次の軸線１９との間の中央でセンタリングされることにより実施される。
【００１９】
再帰反射器の、その軸線４４を中心とする配向は理論的には問題はない。しかしキューブ面の間のコーナーにおいて反射が生じないように配向すべきである。
【００２０】
ステップモータ４８または他の位置定め装置は、１次の軸線１７を中心として再帰反射器を選択的に旋回させる目的で、駆動軸５０により再帰反射器３６と結合されている。再帰反射器は１次のレンズ２４および２次レンズ３０と、１次の焦点２６と２次の焦点３２が互いに共役焦点を形成するように、共働するように構成されている。そのため１次のファイバ１２により中へ伝送された光は再帰反射器３６と２次のファイバ１６を走行する。ファイバとレンズが正確に同じでかつ適切に配向されている時は、光ビーム特性はファイバ毎に変化されない。本発明においては、光が中心ファイバから外側ファイバへ伝送されようとまたはその逆であろうと、等価である。
【００２１】
ステップモータ４８またはその他の位置定め装置たとえば軸５０における手動制御装置は、１次の軸線１７を中心として再帰反射器３６を、複数個の選定位置の各々へ旋回する。例えば簡単なオン・オフ光スイッチの場合は２つの位置がある。第１の位置５３においては、再帰反射器軸線４４は伝送面において１次の軸線１７と２次の軸線１９の間に位置定めされている。この第１位置５３においては光は中央のファイバ１２と外側ファイバ１６との間を通過できる。第２の位置６４（破線で示されている）においては再帰反射器はその軸が１次のおよび２次の軸線との配向から外れるように変位されて、中央の伝送手段１２と他の伝送手段１６との間に光が走行しないように十分に旋回される。このように２つのファイバはオン・オフスイッチにより単に結合または結合解除される。この目的のために１８０°よりも著しく小さい旋回で十分であることは明らかである。オン・オフスイッチのさらに広い構成においては、位置定め装置は再帰反射器を横方向へ変位できる；しかしこの実施例の示す回転手段が特に便利である。
【００２２】
本発明の図１に示された実施例においては、少なくとも１つの付加的な２次のファイバ５４または、伝送光のための他の伝送手段が設けられている。各々のこの種のファイバは、有利には共通面２０に位置される所属の端部窓５６において終端する。その終端において外側ファイバは関連の軸線６１と同一線上にある。この軸線６１は１次の軸線１７から間隔Ｒ━第１の２次の軸線の場合と同じ━でこの軸線に平行である。必要に応じてかつスペースの許す限り多くの付加的なファイバを設けることができる。
【００２３】
別個のレンズ５８は各々の付加的なファイバに関連づけられる。各々のこの種のレンズは、関連の焦点６０が、関連の端部窓５６において関連のレンズ軸線６１の上に位置するように配置されている。通常は各々の付加的なファイバとレンズのための構成は第１の２次ファイバ１６とそのレンズ３０のそれと同じである。全部の２次レンズの焦点距離は互いに同じにすべきであり、１つの実施例においては、１次レンズの焦点距離と同じである。全部の２次ファイバとレンズは１次軸線１７を中心としてアーチ状にそれらの個々の軸線上に配置される。
【００２４】
再帰反射器の複数個の位置はさらに各々の付加的なファイバのために、新たな位置３４′における平行化ビームを有する付加的な位置６４を含む。再帰反射器の新たな軸線は、１次軸線１７と付加的な軸線６１との間の真中に位置された新たな位置４４′においてこれらの軸線の透過面において心合わせされている。そのため光は１次ファイバ１２と付加ファイバ５４との間を走行する。これにより切り換え作用は、１次ファイバと任意の選択された２次ファイバとの間を走行するされる光のために設けられる。
【００２５】
全部の窓１４，１８，５６は有利に、中心軸に垂直な共通面に設けられる。理想的には再帰反射器は、軸線の縦方向の間隔Ｒと、レンズの実効面７０から頂点の軸線方向の距離Ｄとの和が、１次レンズの焦点距離Ｆと２次レンズの焦点距離Ｆとの和に等しいように配置すべきである（この実施例においては同じＦで示されている）；そのためＲ＋Ｄ＝２Ｆとなる。これにより１つのファイバからの全部の光線がその所属のレンズの開口数以内になることが保証される。しかしこの理想は重要ではなく、前述の関係は係数２以上偏差されることがある。
【００２６】
ファイバは実質的に同じにすべきであり、さらにファイバの端部は互いに１対１で結像されるべきである。全部の部品の正確な心合わせは、この装置の体積を増加させることなく、最大の光処理を可能にする。
【００２７】
しかし安定性と反復性は光学装置の選択的かつ規定されたミスアラインメントにより向上できる。このことは光の伝送を多少は低減させるがこれを反復可能にかつ安定化させる。ミスアラインメントの１つの方法は、２次レンズの焦点距離とは公称値の異なる焦点距離を有する１次レンズ２４を用いることである。この目的で焦点距離の差を中央のレンズの焦点距離の約１０％〜２０％にすべきである。例えばもし１次レンズの焦点距離が２次レンズのそれよりも長い時は、２次ファイバの端部上での１次ファイバの端部の像は縮小され、他方、１次ファイバから到来する光線の角度は２次ファイバの開口比を上回るように拡大される。
【００２８】
ミスアラインメントのもう１つの手段は、前述の理想的な位置から光学素子を変位させることである。例えば再帰反射器を軸１７に沿ってレンズ面から、距離Ｄを近似的に２倍にするように遠ざける方向へ変位させる。これによりファイバの開口数に対する角度の調整をずらし、しかし一方のファイバまたは他方のファイバの端部の像の調整をずらす別の方法は、１次ファイバとそのレンズとの距離を、レンズの焦点距離の約５％〜１０％だけ変化させることである。
【００２９】
前述の切り換え装置は、遠隔の試験サンプルと光測定装置たとえば分光光度計との間で光を伝送するためのファイバ対の選択のために使用できる。このことは、切り換え用光学装置７４の第２の組み合わせ体を有する組み合わせ機器７２（図２）において実施できる。第２の組み合わせ体は第１の組み合わせ体１０と実質的に同じであるが、異なる点はミラーにおいてミラーの像が設けられそれから反対側に設けられていることである。この第２の対応の組み合わせ体１１０は対応の１次の光ファイバ１１２（または光伝送用の他の伝送手段）、対応の２次のファイバ１１６、少なくとも１つの対応の付加ファイバ１５４、および対応の再帰反射器１３６を含む。それぞれの対応のレンズ１２４，１３０，１５８も設けられている。
【００３０】
対応の１次のファイバ１１２は１次の光学的組み合わせ体１０の軸線１７における１次のファイバ１２と軸方向に配向されている。同じステップモータ（または他の位置定め手段たとえば第２モータ）が共通の駆動軸５０（または配向された駆動軸の１対）と結合されている。その目的は第２の再帰反射器１３６を第１の再帰反射器３６と共通に、１次の軸線１７を中心として旋回させるためである。第２の２次のファイバ１１６および各々の第２の付加的なファイバ１５４は外部で、第１組み合わせ体の対応の外側ファイバ１６および付加的なファイバ５４と、それぞれ光学的な１対形成を有する。その目的は、各々の１対形成により光伝送を実施するためである。この光学的な１対形成は例えば流体試料セル９０，９２の場合に実施される。この試料セルは従来のように、流体９５，９７の中を走行する光のために設けられている複数個のレンズ９４を有する。１対の各々のファイバ１対は相異なる試料セルと共に用いられる。
【００３１】
再帰反射器の選択的な共通の旋回により試料セルを選択して、機器９６から９６へ走行される光のための切り換えがなされる。この場合この光は、第１の組み合わせ体の第２の２次のファイバ７６と１次のファイバ１２を介して、さらに選択された外側ファイバ１対を介して走行される。
【００３２】
この実施例は光ファイバに関連づけて提供されるが、他の光伝送手段も使用できる。例えば中央の伝送手段はレンズの光学的配列体にできる、および／またはミラーは窓の位置に光源を結像できる。同様にもう１つの光学的配列体が、外側の窓の位置における像を検出できる。実施例および請求項において用いられている術語“窓”はこの種の像の位置における仮想の窓のことである。物理的な開口絞りを窓の位置に配置できる。
【００３３】
本発明を測光機器以外の光学装置と共に使用できることは明らかである。１つの実例は情報伝送路たとえば電話線路またはコンピュータ線路である。
【００３４】
本発明による再帰反射器の使用は他の切り換え装置よりも有効であ。本発明によるコーナキューブ反射器は、わずかな旋回変位の点で、単一の平面鏡装置よりも光通路の際のエラーの受けにくさに関して著しい適用性を有する利点を保証する。コーナキューブ反射器は、わずかな旋回変位および並進変位の両方の点で、同じく前述の米国特許第５０７７４８１号公報の凹面鏡装置よりも、光通過の際のエラーの受けにくさに関して著しい適用性を有する利点を提供する。ペリスコープ切り換えよりも優れている。何故ならば実際に、後者が外側ファイバの経路内にモータを必要とし、そのため光の走行する進行距離の長さを増加させ、安定性と反復性を低下させるからである。ペリスコープ反射器とポロ反射器は並進変位からの影響は小さいが、コーナキューブよりも旋回エラーの影響を受けやすい。コーナキューブは単一ミラー切り換えよりも、エラーの影響を受けないように改善されている。前述のように配置されたマルチレンズは、前述の米国特許第４５６９５６９号の単一レンズ装置よりも、エラーの影響の受けにくい点で改善されている。
【００３５】
米国特許第４５６９５６９号公報の単一レンズ装置は、再帰反射器からのビームを分割し、これにより光のわずか半分だけを任意の選択された単一ファイバへ伝送させる。本発明の光学装置における、各々のファイバのために個別に割り当てられるレンズの使用は、ビームを分割せず、そのため実質的に光の全部の量を走行可能にする。
【００３６】
本発明は特定の実施例により説明されたが、本発明の技術思想の範囲内での、および従属形式の請求項の範囲での種々の変形および修正は当業者に明らかである。そのため本発明は従属形式の請求項またはそれに類似の構成により限定されるべきである。
【図面の簡単な説明】
【図１】本発明による光学装置の第１実施例のブロック図である。
【図２】本発明による光学装置の第２実施例である。
【符号の説明】
１０  光学装置、  １２  １次の光ファイバ、  １４，１８，５６  窓、  １７  １次の軸線  、  １９  ２次の軸線、  ２０  共通面、  ２４  １次のレンズ、  ３０  ２次のレンズ、  ３６  再帰反射器、  ３８，４０  ミラー、  ４８  ステップモータ、  ５４  ２次のファイバ、  ７４  切り換え用光学装置、１１２  １次の光ファイバ、  １１６  ２次の光ファイバ、  １２４，１３０，１５８  レンズ
【図１】
0003970344.tif 000002
【図２】
0003970344.tif 000003